(57)【要約】光導波路ランプ（１）用の光抽出器（８）について記載しており、その有効面、すなわち、使用時に、光導波路ランプ（１）の放射面（５）に面する面は、拡散点（１０）の所定の分布および反射点（９）の相補分布を含む。光抽出器（８）は、予め選択された特徴を有する照明を得ることができる。また、きわめて均一な照明を得るために、そのような点分布を決定するための方法についても述べている。
2004509442.tif 000002
【特許請求の範囲】
【請求項１】
放射面（５；１２５；１３５；１４５）に結合されることになっている光抽出器（８；１２８；１３８；１４８）の有効面における拡散点（１０）の主要伝搬方向（ｘ）に沿って分布（Ｗ（ｘ））を決定するための方法であり、光源（２１；１２２１；１３２１；１４２１）の光を臨界角（θｍａｘ）より小さい角度で拡散板（３；１２３；１３３；１４３）に投影するのに適した照明系（２；１２２；１３２；１４２）を有する光導波路ランプ（１；１２１；１３１；１４１）用の拡散板（３；１２３；１３３；１４３）において、他の場所に反射（９）し、所定の臨界角（θｍａｘ）より小さい角度で伝搬する光線に対して透明であり、前記臨界角より大きい角で伝搬する光線の場合には内部反射する方法であり、
（ａ）予め選択されたタイプの軌道によって伝搬する光線の照明系（２；１２２；１３２；１４２）に最も近い抽出器（８；１２８；１３８；１４８）における最後の入射点として、分布（Ｗ（ｘ））の最初の点（Ａ，ｘ１）を設定するステップと、
（ｂ）予め選択されたタイプの軌道によって伝搬する光線の照明系（２；１２２；１３２；１４２）から最も遠い抽出器（８；１２８；１３８；１４８）における最後の入射点として、分布（Ｗ（ｘ））の第２の点（Ｂ，ｘ２）を設定するステップと、
（ｃ）点分布の各点（ｘｉ）に関して、分布の予め選択された点（ｘｉ）に配置される第１の点光源および分布の次の隣接点（ｘｉ＋１）に配置された第２の光源によって等しく照射される抽出器（８；１２８；１３８；１４８）の点として分布の新たな点（Ｘ，ｘ）を再帰的に決定し、点光源の強度（Ｉ（ｘ））が光源の強度（Ｋ）および予め選択されたタイプの軌道の特性距離の関数であるステップと、を含む方法。
【請求項２】
ステップ（ａ）、（ｂ）、および（ｃ）において、前記軌道タイプが、拡散板（３；１２３；１３３；１４３）の中の反射回数に基づいて分類されることを特徴とする、請求項１に記載の方法。
【請求項３】
ステップ（ｃ）において、前記予め選択されたタイプの軌道が、前記光導波路ランプ（１；１２１；１３１；１４１）の前記光源（２１；１２２１；１３２１；１４２１）から前記抽出器（８；１２８；１３８；１４８）に直接当たる光線からなる場合に、各点光源の強度（Ｉ（ｘ））が、前記抽出器の吸収拡散係数（Ｄｉｆ８）を乗じ、前記光源（２１；１２２１；１３２１；１４２１）から光源点の距離の２乗によって除算された前記光源の強度（Ｋ）によって与えられることを特徴とする、請求項１または２に記載の方法。
【請求項４】
ステップ（ｃ）において、前記予め選択されたタイプの軌道が、前記光源（２１；１２２１；１３２１；１４２１）が前記放射面（５；１２５；１３５；１４５）および任意に前記抽出器（８；１２８；１３８；１４８）によって少なくとも１回の反射の後、前記抽出器（８；１２８；１３８；１４８）に当たる光線からなる場合に、各点光源強度（Ｉ（ｘ））が、前記光源の強度（Ｋ）に前記抽出器の吸収拡散係数（Ｄｉｆ８）を乗じ、前記放射面（５；１２５；１３５；１４５）への各反射のために前記放射面の吸収反射係数（Ｒｉｆ５）を乗じ、前記抽出器（８；１２８；１３８；１４８）への各反射の場合のために前記抽出器の吸収反射係数（Ｒｉｆ８）を乗じ、前記光源から第１の反射点までの考慮される光線の一部の前記主要伝搬方向（ｘ）に沿った投影距離の２乗により除算することによって与えられることを特徴とする、請求項１または２に記載の方法。
【請求項５】
（ｄ）異なるタイプの軌道の場合には、ステップ（ａ）、（ｂ）、および（ｃ）によって少なくとも１つの第２の点分布（Ｗｉ（ｘ））を決定するステップと、
（ｅ）各第２の点分布（Ｗｉ（ｘ））を点分布（Ｗ（ｘ））に追加するステップと、を含むことを特徴とする、請求項１〜４のいずれか一項に記載の方法。
【請求項６】
前記抽出器（８；１２８；１３８；１４８）が、前記第１の照明系（２；１２２；１３２；１４２）と鏡面であり、かつ対向する端部に配置される第２の照明系（２ａ；１２２ａ；１３２ａ；１４２ａ）を有する光導波路ランプ（１；１２１；１３１；１４１）に挿入されることになっており、
（ｆ）点分布（Ｗ（ｘ））に点分布（Ｗ（ｘ））の各点の鏡面反射点（Ｗ’（ｘ））を追加するステップを含む、請求項１〜５のいずれか一項に記載の方法。
【請求項７】
（ｇ）前記抽出器（８；１２８；１３８；１４８）の前記主要伝搬方向（ｘ）に垂直である方向（ｙ）に沿って一定の間隔（Δｙ）で前記点分布（Ｗ（ｘ））を反復するステップを含む請求項１〜６のいずれか一項に記載の方法
【請求項８】
ステップ（ｇ）の反復中に、さらなるステップ、
（ｇ１）一定の間隔（Δｘ）だけ前記主要伝搬方向（ｘ）の前後に前記点分布（Ｗ（ｘ））を交互にずらすステップを特徴とする、請求項７に記載の方法。
【請求項９】
（ｈ）前記点分布から直に隣接する点から予め設定された最小距離（Ｄｍｉｎ）より大きい距離を呈する点を却下するステップをさらに含むことを特徴とする、請求項１〜８のいずれか一項に記載の方法。
【請求項１０】
プログラムがコンピュータで実行されている時に、請求項１〜９に記載の１つ以上の方法ステップを実行するのに適したプログラムコード手段を含むコンピュータプログラム。
【請求項１１】
入力時に、以下のパラメータ、すなわち
−前記抽出器（８；１２８；１３８；１４８）が結合されることになっている前記放射面（５；１２５；１３５；１４５）の臨界角（θｍａｘ）、
−前記抽出器（８；１２８；１３８；１４８）の形状および／またはサイズ、
−前記抽出器（８；１２８；１３８；１４８）が結合されることになっている前記放射面（５；１２５；１３５；１４５）の形状および／またはサイズ、
−前記抽出器（８；１２８；１３８；１４８）が結合されることになっている前記放射面（５；１２５；１３５；１４５）から前記抽出器（８；１２８；１３８；１４８）までの最大距離、
−前記抽出器（８；１２８；１３８；１４８）が結合されることになっている前記照明系（２，２ａ；１２２，１２２ａ；１３２，１３２ａ；１４２，１４２ａ）の前記光源（２１，２１ａ；１２２１，１２１２ａ；１３２１，１３２１ａ；１４２１，１４２１ａ）の数、タイプ、強度および性質、
−前記点分布（Ｗ（ｘ））の点間の最小距離（Ｄｍｉｎ）、
−前記抽出器の吸収反射係数（Ｒｉｆ８）、
−前記抽出器の吸収拡散係数（Ｄｉｆ８）、
−前記抽出器（８；１２８；１３８；１４８）が結合されることになっている前記放射面の吸収反射係数（Ｒｉｆ５）、
−考慮される軌道のタイプまたは考慮される反射の最大数、
のうちの１つ以上のパラメータを受信するための手段を具備することを特徴とする、請求項１０に記載のコンピュータプログラム。
【請求項１２】
ファイル（７２）に入力されるパラメータを保存するための手段およびファイル（７１）からパラメータを取出すための手段を具備することを特徴とする、請求項１０または１１に記載のコンピュータプログラム。
【請求項１３】
−分布（Ｗ（ｘ））の点の座標、
−基本的な間隔における分布（Ｗ（ｘ））の点のパーセント密度、
−予め設定されたパラメータの記録、
−点分布（Ｗ（ｘ））のグラフィック表示、
−印刷機、具体的にはシルクスクリーン印刷機によって読出し可能な形式における分布（Ｗ（ｘ））の点のファイル、
−前記抽出器（８；１２８；１３８；１４８）と前記放射面（５；１２５；１３５；１４５）との間の予め設定された最大距離および前記放射面（５；１２５；１３５；１４５）の予め設定された臨界角（θｍａｘ）の関数として前記抽出器（８；１２８；１３８；１４８）が結合されることになっている光導波路ランプ（１；１２１；１３１；１４１）の各照明系（２；１２２；１３２；１４２）の幾何学的配置、の中から１つ以上の出力（７５’、７６’）を生成することを特徴とする請求項１０〜１２のいずれか一項に記載のコンピュータプログラム。
【請求項１４】
コンピュータ読出し可能手段に具現される請求項１０〜１３のいずれか一項に記載のコンピュータプログラム。
【請求項１５】
放射面（５；１２５；１３５；１４５）に結合されることになっている光抽出器（８；１２８；１３８；１４８）の有効面における拡散点（１０）の主要伝搬方向（ｘ）に沿って分布（Ｗ（ｘ））を決定するための方法であり、光源（２１，２１ａ；１２２１，１２２１ａ；１３２１，１３２１ａ；１４２１，１４２１ａ）の光を臨界角（θｍａｘ）より小さい角度で拡散板（３；１２３；１３３；１４３）に投影するのに適した少なくとも１つの照明系（２，２ａ；１２２，１２２ａ；１３２，１３２ａ；１４２，１４２ａ）を有する光導波路ランプ（１；１２１；１３１；１４１）用の拡散板（３；１２３；１３３；１４３）において、他の場所に反射（９）し、所定の臨界角（θｍａｘ）より小さい角度で伝搬する光線に対して透明であり、臨界角より大きい角で伝搬する光線の場合には内部反射する方法であり、
（ａ）前記抽出器（８；１２８；１３８；１４８）の有効面の主要伝搬方向（ｘ）に沿って予め選択された長さの各間隔に関して、拡散点密度変数（Ｄ１，Ｄ２，．．．，Ｄｎ）を規定するステップと、
（ｂ）前記放射面（５；１２５；１３５；１４５）の前記主要伝搬方向（ｘ）に沿って予め選択された長さの各間隔に関して、光度変数（Ｎ１，Ｎ２，．．．，Ｎｍ）を規定するステップと、
（ｃ）前記抽出器（８；１２８；１３８；１４８）の拡散点密度変数（Ｄ１，Ｄ２，．．．，Ｄｎ）の関数として前記放射面（５；１２５；１３５；１４５）の各間隔の光度変数（Ｎ１，Ｎ２，．．．，Ｎｍ）の値を表すステップと、
（ｄ）前記放射面（５；１２５；１３５；１４５）のすべての間隔の光度変数（Ｎ１，Ｎ２，．．．，Ｎｍ）の値を互いに対して等しくなるように、前記抽出器（８；１２８；１３８；１４８）の拡散点密度変数（Ｄ１，Ｄ２，．．．，Ｄｎ）の値を計算するステップと、を含む方法。
【請求項１６】
−ステップ（ａ）は、拡散点密度変数（Ｄ１，Ｄ２，．．．，Ｄｎ）の値をゼロに予め設定するサブステップ（ａ１）を含み、
−ステップ（ｂ）は、光度変数（Ｎ１，Ｎ２，．．．，Ｎｍ）の値をゼロに予め設定するサブステップ（ｂ１）を含み、
−計算ステップ（ｄ）は、（ｄ１）前記抽出器（８；１２８；１３８；１４８）の拡散点密度変数（Ｄ１，Ｄ２，．．．，Ｄｎ）の現在の値に基づいて、前記放射面（５；１２５；１３５；１４５）の各間隔の光度変数（Ｎ１，Ｎ２，．．．，Ｎｍ）に関するステップ（ｃ）において表された値を評価するステップと、（ｄ２）前記抽出器（８；１２８；１３８；１４８）の拡散点密度変数（Ｄ１，Ｄ２，．．．，Ｄｎ）の値を独立に増分するステップと、
（ｄ３）ステップ（ｄ１）において評価された前記放射面（５；１２５；１３５；１４５）のすべての間隔の光度変数（Ｎ１，Ｎ２，．．．，Ｎｍ）の値が互いに等しくなるまで、ステップ（ｄ１）および（ｄ２）を反復的に繰り返すステップと、によって実行されることを特徴とする、請求項１５に記載の方法。
【請求項１７】
光度変数（Ｎ１，Ｎ２，．．．，Ｎｍ）を表す前記ステップ（ｃ）は、
（ｃ１）少なくとも１つの照明系（２；１２２；１３２；１４２）によって投影される光を有限数の光線に分割し、それぞれが初期光度値を有するステップと、
（ｃ２）前記放射面（５；１２５；１３５；１４５）の各間隔の光度変数（Ｎ１，Ｎ２，．．．，Ｎｍ）を、前記主要伝搬方向（ｘ）に対してその臨界角（θｍａｘ）より大きい角度で入射する各光線の最終的な光度の値だけ増分するステップであって、
−前記抽出器（８；１２８；１３８；１４８）の間隔における光線の各入射で、光線が反射されるか、または拡散されるかの評価が、個別の拡散点密度変数（Ｄ１，Ｄ２，．．．，Ｄｎ）に基づいて行われることと、
−−光線が反射される場合には、反射光線の光度値は、入射光線の光度値に前記抽出器の吸収反射係数（Ｒｉｆ８）、を乗じることによって得られることと、
−−光線が拡散される場合には、各拡散光線の光度値は、入射光線の光度値に前記抽出器の吸収拡散係数（Ｄｉｆ８）、を乗じることによって得られることと、
−−前記主要伝搬方向に対してその臨界角（θｍａｘ）より小さい角度の前記放射面放射面（５；１２５；１３５；１４５）への各入射では、反射光線の光度値が、入射光線の光度値に前記放射面の吸収反射係数（Ｒｉｆ５）を乗じることによって得られることと、を含むことを特徴とする、請求項１５または１６に記載の方法。
【請求項１８】
（ｅ）前記抽出器（８；１２８；１３８；１４８）の前記主要伝搬方向（ｘ）に垂直である方向（ｙ）に沿って一定の間隔（Δｙ）で前記点分布を反復するステップを含む、請求項１５〜１７のいずれか一項に記載の方法。
【請求項１９】
ステップ（ｅ）の反復中に、さらなるステップ、すなわち（ｅ１）一定の間隔（Δｘ）だけ前記主要伝搬方向（ｘ）において点分布を前後に交互にずらすステップを特徴とする、請求項１８に記載の方法。
【請求項２０】
（ｆ）前記点分布（Ｗ（ｘ））から直に隣接する点から予め設定された最小距離（Ｄｍｉｎ）より大きい距離を呈する点を却下するステップをさらに含むことを特徴とする、請求項１５〜１９のいずれか一項に記載の方法。
【請求項２１】
拡散点（１０）の所定の分布および反射点（９）の相補分布を具備する有効面を有する光導波路ランプ（１）用の光抽出器（８；１２８；１３８；１４８）であって、前記拡散点（１０）の分布が請求項１〜９のいずれか一項に記載の方法または請求項１５〜２０のいずれか一項に記載の方法で得られることを特徴とする、光抽出器。
【請求項２２】
前記有効面が、反射基層（９）および前記反射基層（９）上の拡散点（１０）の前記所定の分布を含むことを特徴とする、請求項２１に記載の抽出器（８；１２８；１３８；１４８）。
【請求項２３】
前記反射基層（９）が、ＴＩＲフィルムのマイクロプリズムのない側面を含むことを特徴とする、請求項２２に記載の抽出器（８；１２８；１３８；１４８）。
【請求項２４】
前記所定の分布の隣接拡散点（１０）が、光入射端部から対向する端部まで主要伝搬方向（ｘ）に沿って減少距離にあることを特徴とする請求項２１〜２３のいずれか一項に記載の抽出器（８’）。
【請求項２５】
拡散点（１０）の前記分布が、前記主要伝搬方向（ｘ）に垂直である中間軸に対して対称であることを特徴とする、請求項２１〜２３のいずれか一項に記載の抽出器（８；１２８；１３８；１４８）。
【請求項２６】
点分布（Ｗ（ｘ））の隣接拡散点（１０）が、前記抽出器（８；１２８；１３８；１４８）の各端部から前記主要伝搬方向（ｘ）に垂直である前記中間軸までの減少距離にあることを特徴とする、請求項２５に記載の抽出器（８；１２８；１３８；１４８）。
【請求項２７】
拡散点（１０）の前記所定の分布（Ｗ（ｘ））が、シルクスクリーン印刷によって前記反射基層（９）上に押印されることを特徴とする請求項２２〜２６のいずれか一項に記載の抽出器（８）。
【請求項２８】
請求項２１〜２７のいずれか一項に記載の光抽出器（８；１２８；１３８；１４８）と、主要伝搬方向（ｘ）に対して所定の臨界角（θｍａｘ）より大きい角度を成す光線に対して透明であり、かつ前記所定の臨界角（θｍａｘ）より小さい角度で入射する光線の場合には内部反射する放射面（５；１２５；１３５；１４５）と、を具備する光導波路ランプ（１）用の拡散板（３；１２３；１３３；１４３）。
【請求項２９】
前記放射面（５；１２５；１３５；１４５）が、透明支持層（６）および前記透明支持層上に貼着される内部全反射フィルム（７）を具備することを特徴とする、請求項２８に記載の拡散板（３；１２３；１３３；１４３）。
【請求項３０】
前記内部全反射フィルム（７）が、外側に面し、かつ前記主要伝搬方向（ｘ）に平行に指向されるマイクロレリーフを有することを特徴とする、請求項２９に記載の拡散板（３；１２３；１３３；１４３）。
【請求項３１】
前記光抽出器（８；１２８；１３８；１４８）が、直線、半円、半楕円、放物線、半放物線からなる群から選択されるかまたは高次曲線による断面を有し、前記放射面（５；１２５；１３５；１４５）が、直線、半円、半楕円、放物線、半放物線からなる群から選択されるかまたは高次曲線による断面を有することを特徴とする、請求項２８〜３０のいずれか一項に記載の拡散板（３；１２３；１３３；１４３）。
【請求項３２】
前記主要伝搬方向（ｘ）に垂直である平面において抽出器（８；１２８；１３８；１４８）と放射面（５；１２５；１３５；１４５）との間の最大距離が、前記主要伝搬方向（ｘ）において前記抽出器（８）の長さ（ｌ）の予め選択された一部であることを特徴とする請求項２８〜３１のいずれか一項に記載の拡散板（３；１２３；１３３；１４３）。
【請求項３３】
請求項２８〜３２のいずれか一項に記載の拡散板（３；１２３；１３３；１４３）と、前記放射面（５；１２５；１３５；１４５）の前記臨界角（θｍａｘ）より小さい角度で、前記拡散板（３；１２３；１３３；１４３）の中に投影されるのに適した少なくとも１つの照明系（２，２ａ；１２２，１２２ａ；１３２，１３２ａ；１４２，１４２ａ）と、を具備する光導波路ランプ（１；１２１；１３１；１４１）。
【請求項３４】
（ａ）反射基層（９）を設けるステップと、
（ｂ）請求項１〜９のいずれか一項に記載の方法または請求項１５〜２０のいずれか一項に記載の方法により得られる点分布（Ｗ（ｘ））に応じて、前記反射基層（９）上に拡散点（１０）をシルクスクリーン印刷するステップと、を含む光抽出器（８；１２８；１３８；１４８）の製造方法。
【請求項３５】
請求項１〜９のいずれか一項に記載の方法または請求項１５〜２０のいずれか一項に記載の方法によって得られる点分布を具現することを特徴とするシルクスクリーン。
【発明の詳細な説明】
【０００１】
本発明は、光導波路ランプ用の光抽出器に関する。さらに、本発明は、拡散板および拡散板を具備する光導波路ランプのほか、光抽出器の拡散点の主要伝搬方向に沿った分布を決定するための方法およびそのような１つの方法のステップを実行するのに適したコンピュータプログラムにも関する。本発明はまた、光抽出器およびシルクスクリーンを製作するための方法に関する。
【０００２】
本詳細および添付請求項において、以下に明白であるように、
−「拡散板」は、光抽出器を備えた光導波路構造物を示しており、光は一部が導かれ、一部が出るようになっている。
−「拡散点」は、そのような光特性を有する面の点をしており、その面に入射する光線が、面の局所的な曲げ角の中で反射される光線の束を生成するため、点光源に匹敵する。したがって、基本的には、孔が用いられてもよい。
−「方向」なる語は、曲線を成す方向を包含するために用いられる。
【０００３】
光導波路ランプは既知であり、光導波路、すなわち、少なくとも部分的に透明であり、部分的にその内面で反射する面を有する閉じた構造物の中に指向させることができる１つ以上の光源によって生成される光を備えている。光線は、一連の連続反射によって構造物の中を伝搬し、多少段外的な態様でそこから射出する。内部全反射フィルム（またはＴＩＲフィルム）の利用によって得られた光導波路は、特に効率的である。
【０００４】
上記のＴＩＲフィルムは、たとえば、ＥＰ　０　２２５　１２３によって既知であり、これらの特徴の詳細について参照されるものとする。上記のＴＩＲフィルムの例としては、Ｍｉｎｎｅｓｏｔａ　Ｍｉｎｉｎｇ　ａｎｄ　Ｍａｎｕｆａｃｔｕｒｉｎｇ　Ｃｏｍｐａｎｙから商標名「ＯＬＦ−Ｏｐｔｉｃａｌ　Ｌｉｇｈｔｉｎｇ　Ｆｉｌｍ」で製造および市販されているものが挙げられる。このフィルムは、フレキシブルシートまたはテープとして形成され、実質的に三角形の断面を有する一連の平行なマイクロレリーフを備えた面を呈している。上記のフィルムは、透明なキャリア材料の面の上に貼着されることができ、マイクロレリーフが伝搬方向を指向し、通常は外側に面しているため、効率的な光導波路を形成する。実際には、上記のフィルムの光学特性のおかげで、たとえば文書ＵＳ　４　８０５　９８５（さらなる詳細については参照されるものとする）に示されているように、主要伝搬方向と臨界角θｍａｘより小さい角度を成す光は、常に内部反射されるのに対し、主要伝搬方向と臨界角θｍａｘより大きい角度θを成す光は、角度θに応じて、法線に対して一定の角度、すなわちある種の角度より小さい角度でＴＩＲフィルムに入射する場合に内部反射される。したがって、現在の定義に反して、以下の詳細および添付請求項では、面における光線の入射角は、面に接する平面と光線によって形成される角度を指すものとする。
【０００５】
角度θｍａｘは、ＴＩＲフィルムの特性に左右され、上述のＯＬＦフィルムの場合には、２７．６°である。
【０００６】
光導波路ランプに用いられる別の材料は、いわゆる多層光学フィルムであり、たとえば、文書ＵＳ　５８８２７７４に記載されている。
【０００７】
光抽出器と呼ばれる特殊な素子が、光導波路内を進んでいる光の一部の制御した拡散を生じるために、光導波路の中に挿入されることから、光線の一部がそらせられ、光導波路から出るような角度でＴＩＲフィルムへ入射させる。
【０００８】
このために、既知の光抽出器は、一般に白色拡散面を具備し、光導波路の軸位置に配置された三次元本体（たとえば、イタリア特許出願ＴＯ９８Ａ０００５１３を参照することができる）または光導波路の内面に貼着された二次元本体からなる（たとえば、欧州特許出願ＥＰ−Ａ−１００６３１２を参照することができる）。
【０００９】
本発明の根底にある技術的な問題は、所定の特徴、たとえばきわめて均一な照明を有する照明を得ることが可能であるために必要な光導波路ランプ用の光抽出器を提供することに関する技術的な問題である。
【００１０】
したがって、本発明の第１の態様では、本発明は、その有効面が拡散点の所定の分布および反射点の相補分布を含む点において特徴付けられる光導波路ランプ用の光抽出器に関する。
【００１１】
本詳細および添付請求項では、「有効面」なる表現は、光抽出器の利用時に、光導波路ランプの放射面に面している面を指している。
【００１２】
反射点に入射する光は反射によって伝搬するのに対し、拡散点に入射する光は、拡散点分布、すなわち反射点の相補分布を制御することによって、ランプから部分的に出るような角度でそらせられる。光抽出器が光導波路ランプで用いられる場合の所望の結果に基づいて、光拡散特性を逐一制御することは可能である。
【００１３】
好都合なことに、有効面は、反射基層および反射基層上の拡散点の所定の分布を含む。
【００１４】
このように、光抽出器の製作が簡素化される。
【００１５】
反射基層がＴＩＲフィルムのマイクロプリズムを含まない面を含めば、さらに好ましい。特に、反射基層は、前述のＯＬＦフィルムまたは光学多層フィルムからなってもよい。
【００１６】
一実施形態において、所定の分布の隣接拡散点は、光入射端部から対向する端部への主要伝搬方向に沿って一定の減少距離にある。
【００１７】
系において単一照明を有する光導波路ランプに用いられるそのような抽出器は、主要伝搬方向に沿って均一な照明を提供する。
【００１８】
別の実施形態において、拡散点分布は、主要伝搬方向に垂直である中間軸に対して対称である。
【００１９】
そのような抽出器は、２つの端部で２つの対称照明系を有する光導波路ランプにおいて特に用いられる。
【００２０】
この場合には、特に好ましい方法では、点分布の隣接拡散点は、抽出器の角端部から主要伝搬方向に垂直である中間軸まで一定の減少距離にある。
【００２１】
そのような抽出器は、主要伝搬方向に沿って均一な照明を提供する。
【００２２】
好都合なことに、拡散点の所定の分布は、シルクスクリーン印刷によって反射基層上に押印される。
【００２３】
シルクスクリーン印刷は、拡散点間の許容可能な短い距離に関して、非吸収面においても点の任意の分布を容易に実現することができる。
【００２４】
さらに、本発明の第２の態様において、本発明は、上述のような光抽出器と、主要伝搬方向と所定の臨界角より大きな角度を成す光線に対して透明であり、所定の臨界角より小さい角度で入射する光線の場合には内部反射する放射面と、を具備している光導波路ランプ用の拡散板に関する。
【００２５】
一般に、放射面は、透明支持層および透明支持層の上に貼着される内部全反射フィルムを具備している。
【００２６】
内部全反射フィルムは、外側に面し、主要伝搬方向に平行に指向されるマイクロレリーフを有することが好ましい。
【００２７】
ＴＩＲフィルム、具体的には上述のＯＬＦによって放射される光は、マイクロレリーフの長手方向に対して一定の射出角を有するため、示したような構成により、上記の角度によって生じる影の視覚を最小限に抑えることができる。
【００２８】
好ましくは、光抽出器は、直線、半円、半楕円、放物線、半放物線からなる群から選択される断面または高次の曲線による断面を有し、放射面は、半円、半楕円、放物線、半放物線からなる群から選択される断面または高次の曲線による断面を有する。
【００２９】
さらに、主要伝搬方向に垂直である平面において、抽出器と放射面との間の最大距離は、主要伝搬方向における抽出器の長さの予め選択された一部であることが好ましく、約２０分の１の部分に等しければ一層好ましい。
【００３０】
このように、十分に少数の入射によって光が伝搬するため、損失がほとんどない。
【００３１】
さらに、本発明の別の態様において、本発明は、上述のような拡散板と、放射面の臨界角より小さい角度で光を拡散板に投影するのに適した少なくとも１つの照明系と、を具備している光導波路ランプに関する。
【００３２】
第一に放射面に入射される拡散板への投影光線は、内部全反射されるのに対し、第一に抽出器に入射される光線は、拡散点または反射点のいずれに入射される化に応じて反射または拡散される。
【００３３】
さらに、本発明の別の態様において、本発明は、放射面に結合されることになっている光抽出器の有効面における拡散点の主要伝搬方向に沿って分布を決定するための方法であり、臨界角より小さい角度で光源の光を拡散板に投影するのに適した照明系を有する光導波路ランプ用の拡散板において、他の場所に反射し、所定の臨界角より小さい角度で伝搬する光線に対して透明であり、臨界角より大きい角で伝搬する光線の場合には内部反射する方法であり、
（ａ）予め選択されたタイプの軌道によって伝搬する光線の照明系に最も近い抽出器における最後の入射点として、分布の最初の点を設定するステップと、
（ｂ）予め選択されたタイプの軌道によって伝搬する光線の照明系から最も遠い抽出器における最後の入射点として、分布の第２の点を設定するステップと、
（ｃ）点分布の各点に関して、分布の予め選択された点に配置される第１の点光源および分布の次の隣接点に配置された第２の光源によって等しく照射される抽出器の点として分布の新たな点を再帰的に決定し、点光源の強度が光源の強度および予め選択されたタイプの軌道の特性距離の関数であるステップと、を含む。
【００３４】
このように決定された光分布を有する光抽出器は、使用中に、主要伝搬方向に沿って十分に均一な照明を得ることができる。
【００３５】
ステップ（ａ）（ｂ）（ｃ）において、軌道のタイプは、拡散板内の反射数に基づいて分類されることが好ましい。
【００３６】
さらに具体的には、ステップ（ｃ）において、予め選択されたタイプの軌道が、光導波路ランプの光源から抽出器に直接当たる光線からなる場合には、各点光源の強度は、点光源の強度に抽出器の吸収拡散係数を乗じ、光源からの光源点の点の距離の２乗で除算することによって与えられる。
【００３７】
したがって、導入される図式化は、拡散点における光線の入射角に関係なく、各拡散点が各角度での一定の放射を有すると見なすことである。
【００３８】
これに反して、ステップ（ｃ）において、予め選択されたタイプの軌道が、光源から放射面および任意に抽出器によって少なくとも１回の反射を受けた後、抽出器に当たる光線からなる場合には、各点光源の強度は、光源の強度に、放射面上の各反射のための放射面の吸収反射係数を乗じた抽出器の吸収拡散係数を乗じ、抽出器の各反射のための抽出器の吸収拡散係数を乗じ、点光源から第１の反射点までを考慮した光線の部分の主要伝搬方向に沿った投影距離の２乗によって除算されることによって与えられる。
【００３９】
したがって、計算を簡略化するために、放射面は、抽出器に配置されているものと見なす。
【００４０】
方法は、
（ｄ）異なるタイプの軌道の場合には、ステップ（ａ）（ｂ）（ｃ）によって、点の少なくとも１つの第２の分布を決定するステップと、
（ｅ）点の各第２の分布を点分布に追加するステップと、をさらに含むことが好ましい。
【００４１】
結果は、考慮される軌道のタイプに一層正確であるため、得ることができる照明は一層均一となる。
【００４２】
さらに、抽出器が第１の照明系に鏡面反射し、かつ対向する端部に配置される第２の照明系を有する光導波路ランプの中に挿入されることになっている場合には、方法は、
（ｆ）点分布の各点の鏡面反射点を点分布に追加するステップを含む。
【００４３】
方法は、
（ｇ）抽出器の主要伝搬方向に垂直な方向に沿って一定の間隔で、点分布を反復するステップをさらに含むことが好ましい。
【００４４】
このように、抽出器は拡散点のストライプの分布を呈し、照明は主要伝搬方向に垂直な面においても十分に均一である。
【００４５】
方法は、ステップ（ｇ）の反復中に、
（ｇ１）一定の間隔だけ主要伝搬方向の前後に点分布を交互にずらすさらなるステップを含むことがさらに好ましい。
【００４６】
このように、点間の距離を抽出器の物理的な実現によって課せられた最小距離未満に低減することが可能である。
【００４７】
方法は、
（ｈ）点分布から直に隣接する点から予め設定された最小距離より大きい距離を呈する点を却下するステップをさらに含むことが好ましい。
【００４８】
このように、抽出器の物理的な実現より高い精度を有する分布を得ないようにすることが可能である。
【００４９】
さらに、本発明の別の態様において、本発明は、プログラムをコンピュータが実行する場合に、上記の方法のステップを実行するのに適したプログラムコード手段を含むコンピュータプログラムに関する。
【００５０】
好都合なパラメータの実現において、コンピュータプログラムは、入力時に、以下のパラメータ、すなわち
−抽出器が結合されることになっている放射面の臨界角、
−抽出器の形状および／またはサイズ、
−抽出器が結合されることになっている放射面から抽出器の最大距離、
−抽出器が結合されることになっている照明系の光源の数、タイプ、強度および性質、
−点分布の点間の最小距離、
−抽出器の吸収反射係数、
−抽出器の吸収拡散係数、
−抽出器が結合されることになっている放射面の吸収反射係数、
−考慮される軌道のタイプまたは考慮される反射の最大数、
のうちの１つ以上のパラメータを受信するための手段を具備する。
【００５１】
複数のシミュレーションの管理を容易にするために、コンピュータプログラムは、ファイルに入力されるパラメータを保存するための手段およびファイルからパラメータを取り込むための手段を具備することができる。
【００５２】
コンピュータプログラムは、
−分布の点の座標、
−基本的な間隔における分布の点のパーセント密度、
−予め設定されたパラメータの記録、
−点分布のグラフィック表示、
−印刷機、具体的にはシルクスクリーン印刷機によって読出し可能な形式における分布の点のファイル、
−抽出器が抽出器と放射面との間の予め設定された最大距離および放射面の予め設定された臨界角の関数として意図される光導波路ランプの各照明系の幾何学的配置、
の中から１つ以上の出力を生成することが好ましい。
【００５３】
設定パラメータの表形式、グラフィック表示、記録は、複数のシミュレーションに関して有用である。たとえば、ＡｕｔｏｃａｄＴＭおよびＭａｃＩｎｔｏｓｈＴＭなどの印刷機によって読出し可能な形式のファイルにより、抽出器製作ステップと統合することができ、幾何学的配置の決定は一般に、照明系の反射放物線の焦点を決定するのと同時に行われるため、放射面の臨界角より小さい角度で光を拡散板に投影する必要条件を満たすことになる。
【００５４】
さらに、一般に、コンピュータプログラムは、コンピュータ読出し可能手段に具現化されることができる。
【００５５】
さらに、本発明の別の態様において、本発明は、放射面に結合されることになっている光抽出器の有効面における拡散点の主要伝搬方向に沿って分布を決定するための方法であり、臨界角（θｍａｘ）より小さい角度で光源の光を拡散板に投影するのに適した少なくとも１つの照明系を有する光導波路ランプ用の拡散板において、他の場所に反射し、所定の臨界角（θｍａｘ）より小さい角度で伝搬する光線に対して透明であり、臨界角（θｍａｘ）より大きい角で伝搬する光線の場合には内部反射する方法であり、
（ａ）抽出器の有効面の主要伝搬方向に沿って予め選択された長さの各間隔に関して、拡散点密度変数を規定するステップと、
（ｂ）放射面の主要伝搬方向に沿って予め選択された長さの各間隔に関して、光度変数を規定するステップと、
（ｃ）抽出器の拡散点密度変数の関数として放射面の各間隔の光度変数の値を表すステップと、
（ｄ）放射面のすべての間隔の光度変数の値を互いに対して等しくなるように、抽出器の拡散点密度変数の値を計算するステップと、を含む。
【００５６】
上述の第１の方法に関して、このように決定された光の分布を有する光抽出器は、使用中に、主要伝搬方向に沿って十分に均一な照明を得ることができる。
【００５７】
上述の方法の好ましい実施形態において、
−ステップ（ａ）は、拡散点密度変数の値をゼロに予め設定するサブステップ（ａ１）を含み、
−ステップ（ｂ）は、光度変数の値をゼロに予め設定するサブステップ（ｂ１）を含み、
−計算ステップ（ｄ）は、
（ｄ１）抽出器の拡散点密度変数の現在の値に基づいて、放射面の各間隔の光度変数に関するステップ（ｃ）において表された値を評価するステップと、
（ｄ２）抽出器の拡散点密度変数の値を独立に増分するステップと、
（ｄ３）ステップ（ｄ１）において評価された放射面のすべての間隔の光度変数の値が互いに等しくなるまで、ステップ（ｄ１）（ｄ２）を反復的に繰り返すステップと、によって実行される。
【００５８】
さらに、光度変数を表すステップ（ｃ）は、
（ｃ１）少なくとも１つの照明系によって投影される光を有限数の光線に分割し、それぞれが初期光度値を有するステップと、
（ｃ２）放射面の各間隔の光度変数を、主要伝搬方向に対してその臨界角（θｍａｘ）より大きい角度で入射する各光線の最終的な光度の値だけ増分するステップであって、
−抽出器の間隔における光線の各入射で、光線が反射されるか、または拡散されるかの評価が、個別の拡散点密度変数に基づいて行われることと、
−−光線が反射される場合には、反射光線の光度値は、入射光線の光度値に抽出器の吸収反射係数を乗じることによって得られることと、
−−光線が拡散される場合には、各拡散光線の光度値は、入射光線の光度値に抽出器の吸収拡散係数を乗じることによって得られることと、
−主要伝搬方向に対してそのその臨界角（θｍａｘ）より小さい角度の放射面への各入射では、反射光線の光度値が、入射光線の光度値に放射面の吸収反射係数を乗じることによって得られることと、を含むことが好ましい。
【００５９】
方法は、
（ｅ）抽出器の主要伝搬方向に垂直な方向に沿って一定の間隔で点分布を反復するステップをさらに含むことが好ましい。
【００６０】
このように、抽出器は拡散点のストライプの分布を呈し、照明は主要伝搬方向に垂直な面においても十分に均一である。
【００６１】
方法は、ステップ（ｅ）の反復中に、
（ｅ１）一定の間隔だけ主要伝搬方向において点分布を前後に交互にずらすさらなるステップを含むことがさらに好ましい。
【００６２】
このように、点間の距離を抽出器の物理的な実現によって課せられた最小距離未満に低減することが可能である。
【００６３】
方法は、
（ｈ）点分布から直に隣接する点から予め設定された最小距離より大きい距離を呈する点を却下するステップをさらに含むことが好ましい。
【００６４】
このように、抽出器の物理的な実現より高い精度を有する分布を得ないようにすることが可能である。
【００６５】
さらに、本発明の別の態様において、本発明は、上述のような光抽出器を製作するための方法であって、
（ａ）反射基層を設けるステップと、
（ｂ）所定の点分布に応じて、反射基層上に拡散点をシルクスクリーン印刷するステップと、を含む方法に関する。
【００６６】
中性基板上に拡散点の分布および反射点の相補分布を印刷または拡散塗布するなどの他の方法によってそのような光抽出器を製作することができるが、反射基層上にシルクスクリーン印刷を行うことによって、拡散点間の許容可能なほど小さい最小距離で非吸収面においても任意の所望の点分布を容易に得ることができる。
【００６７】
印刷ステップ（ｂ）は、上述の方法のいずれか一方の方法によって得られる点分布を印刷することによって実行されることが好ましい。
【００６８】
さらに、本発明の別の態様において、本発明は、上述の方法のいずれか一方の方法によって得られる点分布を具現するシルクスクリーンに関する。
【００６９】
ここで、本発明の特徴および利点は、添付図面の非限定的な実施例によって示される実施形態を参照して示されるものとする。
【００７０】
図１は、２つの照明系２，２ａと、個別のガラス４，４ａによってそれらに結合される平行六面体の箱状の拡散板３と、を具備している光導波路ランプ１を示している。光導波路ランプ１は、別法として単独照明系、たとえば照明系２のみを具備していてもよい。
【００７１】
拡散板３は、以下にさらに詳細に述べるように、放射面５および光抽出器８を具備している。今度は、放射面５は、ポリカーボネートなどの剛性材料から構成される透明支持層６を具備しており、内側（図示されている）または外側を、たとえば、Ｍｉｎｎｅｓｏｔａ　Ｍｉｎｉｎｇ　ａｎｄ　Ｍａｎｕｆａｃｔｕｒｉｎｇ　ＣｏｍｐａｎｙによるＯＬＦフィルムのようなＴＩＲフィルム７によって被覆されている。
【００７２】
拡散板３の厚さ、すなわち、抽出器８と放射面５との距離ｈは、主要伝搬方向における抽出器の長さｌの予め設定された一部、たとえば１／２０であることが好ましい。このような比を見れば、光は十分に少数の入射で伝搬するため、損失も少ない。
【００７３】
ＴＩＲフィルム７は、線によって図式化されたそのマイクロレリーフは、水平方向に指向されるように配置されることが好ましい。実際には、ＯＬＦフィルムの光学特性は、光線がマイクロレリーフの方向に対して約１５°の角度αで射出し、水平方向の構成によって上記の射出角のために生じる影の視覚を最小限に抑えるような光学特性である。
【００７４】
上記のＯＬＦフィルムの従来の貼着のような場合には、マイクロレリーフは、拡散板３の外側に面することが好ましい。
【００７５】
各照明系２，２ａは、光源２１，２１ａを具備している。光源は、たとえば、反射放物線２２，２２ａの焦点に配置される３６Ｗの電力を有する蛍光灯である。照明系２，２ａの電源供給および制御素子は、完全に従来通りであるため、詳細には示されていない。
【００７６】
各照明系２，２ａは、放射面５またはそのＴＩＲフィルム７の臨界角θｍａｘより小さい角度で、光を拡散板３に投影するように設計されている（上述のＯＬＦフィルムの場合にはθｍａｘ＝２７．６°）。
【００７７】
焦点に光源２１を配置し、焦点から出るすべての光線が軸に平行に反射される放物線の既知の幾何特性の場合には、焦点とガラス４との間の距離δが、
【数１】
2004509442.tif 000003
によって与えられる場合には、上述の条件が得られる。
【００７８】
光抽出器８は、反射基層９と、所定の分布に応じて、反射基層９に配置される複数の拡散点１０と、を有する実質的に二次元体からなる。
【００７９】
反射基層９はそれ自体、抽出器８の本体であってもよく、またはたとえば、ポリカーボネートまたはガラスなどの基板（図示せず）上に反射コーティングとして設けられてもよい。反射基層９は、上述のＯＬＦフィルムのマイクロプリズムがない側面からなることが好ましい。拡散点１０は、白色点であることが好ましいが、別の色の点であってもよく、反射基層９上にシルクスクリーン印刷されることが好ましい。
【００８０】
このようにして構成された光抽出器８は、反射面上に配置された複数の基本抽出器として実現される。実際には、反射基層９に入射する光線は入射角に等しい角度で反射されるのに対し、拡散点１０に入射する光線は拡散される、すなわち、考慮中の拡散点１０で抽出器８の内部立体角、具体的には示された平面抽出器８の場合には平面角にわたって分散される光線の束で反射される。第１次近似において、強度の差が微小であるため、拡散光線は等位であると見なすことができる。
【００８１】
したがって、図１を参照すると、以下の３つの状態が生じる。
−光線（光線Ｒ１）が軸ｘによって示される主要伝搬方向に対して角度β１で抽出器８の反射基層９に入射する場合には、入射角に等しい角度で拡散板３の中で内部反射される。すなわち、拡散板３の中をさらに伝搬し、伝搬方向ｘに対して同一の角度β１で放射面５に向かって指向される。
−同様に、光線Ｒ２などの光線が主要伝搬方向ｘ対して角度β２で放射面５に入射する場合には、入射角に等しい角度で拡散板３の中で内部反射される。すなわち、拡散板３の中をさらに伝搬し、伝搬方向ｘに対して同一の角度β２で光抽出器８に向かって指向される。
−光線Ｒ３などの光線が主要伝搬方向ｘに対して角度β３で抽出器８の拡散点１０に入射される場合には、拡散板３の中で内部拡散される。
【００８２】
最後に述べた場合には、入射光線Ｒ３は二次光線の２つのグループ、すなわち、
−主要伝搬方向ｘに対して臨界角θｍａｘより小さい角度を成す光線Ｒ３１，Ｒ３２などの光線であって、拡散板３の中でさらに伝搬し、一般的に伝搬方向または伝搬方向に対向する方向にそれぞれ指向される光線と、
−主要伝搬方向ｘに対して臨界角θｍａｘより大きい角度を成すＲ３３などの光線と、
を生じる。
【００８３】
光線Ｒ３３のような最後に検討したタイプの光線は、放射面５に達するときに、内部反射されるのではなく、放射面５から射出して、光導波路ランプ１の照明に寄与する。
【００８４】
さらに、光線は、臨界角θｍａｘより常に小さい角度で照明系２，２ａによって拡散板３に投影されるためと、透過および反射の上記の特性のために、抽出器８に入射する光線は、常に主要伝搬方向ｘに対して臨界角θｍａｘより小さい角度を形成することに留意する価値がある。このために、既に述べたように、上述した同一のＯＬＦフィルムのマイクロプリズムがない側面として、反射基層９を構成することが可能である。
【００８５】
示したことから、本発明の特定の光抽出器８は理想的には、光導波路ランプ１を射出する光線、すなわちその照明の制御の無制限の自由度を提供することを理解したに違いない。実際には、今度は光抽出器８を物理的に実現するために有用な方法によって指示される拡散点の解像度および所望の照明を提供するために拡散点の適した分布を決定するために必要な計算の困難さによってのみ、自由度は制限される。
【００８６】
このために、以下に、光導波路ランプ１によって放射される光が可能な限り均一であるように、光抽出器８の拡散点１０の分布を決定するための方法がまず示される。
【００８７】
この方法は、光導波路ランプ１の一定の尺度から外れた平面図を示している図２を用いて示される。実際には、光導波路ランプの幾何構成を考慮し、蛍光灯光源２１，２１ａはその長さに沿って実質的に等位であるように放射するため、光学系は二次元系であると見なされることができ、第１次近似において、照明系２，２ａの光源２１，２１ａから主要伝搬方向ｘに垂直である軸ｙに沿った成分を有する方向に沿って伝搬する光線を無視する。
【００８８】
第一に、照明系２のみを具備する光導波路ランプ１を考えることにすると、その光源２１を点光源と見なすことができ、図２にＳとして示されている。
【００８９】
既に述べたことに関して、放射面５における光度は、図１の光線Ｒ３３のような光線によってのみ生成される。すなわち、抽出器８における拡散点１０で生じる複数の点光源のためである。
【００９０】
照明系２に近い抽出器８の端部に軸ｘの原点を固定することによって、主要伝搬方向ｘに沿った抽出器８における拡散点１０の分布は、Ｗ（ｘ）＝ｘ１，ｘ２，．．．，ｘｎと表すことができ、式中、ｘ１，ｘ２，．．．ｘｎは抽出器８の各拡散点１０の座標である。
【００９１】
本発明の方法において、拡散点の所望の分布を得るために、以下の帰納法が適用される。第一に、抽出器８における２つの拡散点１０のみを有すると仮定し、任意に選択されるか、または後に示されるような方法で座標ｘ１，ｘ２を有する、すなわちＷ（ｘ）＝ｘ１，ｘ２が設定されることが好ましい。これは、図３の図のブロック３２，３４によって表される。次に、図３のブロック３５によって示されているように、座標ｘ１，ｘ２を有する拡散点に配置された個別の強度Ｉ（ｘ１），Ｉ（ｘ２）を有する点光源によって等しく照射される抽出器８上の点Ｘ３が存在するかどうかが決定される。存在する場合には、図３のブロック３６に示されているように点Ｘ３が拡散点の分布Ｗ（ｘ）に追加される。この点において、光度は光源からの２乗距離の逆関数であるため、ｘ１＜ｘ２である場合にはＩ（ｘ１）＞Ｉ（ｘ２）であり、その結果、点Ｘ３は点Ｘ１と点Ｘ２との間のｘ２に近い方に配置される。すなわち分布Ｗ（ｘ）が順番を維持していると仮定すれば、Ｗ（ｘ）＝ｘ１，ｘ３，ｘ２である。続いて反復すると、座標ｘ１，ｘ３を有する拡散点に配置される個別の強度Ｉ（ｘ１），Ｉ（ｘ３）を有する点光源によって等しく照射される点Ｘ４と、座標ｘ３，ｘ２を有する拡散点に配置される個別の強度Ｉ（ｘ３），Ｉ（ｘ２）を有する点光源によって等しく照射される点Ｘ５が計算される。このようにして、分布Ｗ（ｘ）＝ｘ１，ｘ４，ｘ３，ｘ５，ｘ２が得られ、以降、分布Ｗ（ｘ）＝ｘ１，ｘ６，ｘ４，ｘ７，ｘ３，ｘ８，ｘ５，ｘ９，ｘ２などとなる。
【００９２】
したがって、図３のブロック図のブロック３５，３６は、点分布の各予め選択された点に関して、分布の予め選択された点に配置された第１の点光源および分布の隣接点に配置された第２の点光源によって等しく照射される抽出器の点として分布の新たな点の再帰的計算を示している。新たな点を決定することができなくなったときに、上記の再帰的計算は終了する。したがって、サイクルが拡散点の分布Ｗの各指数ｉに関して反復されていると理解される必要がある。
【００９３】
しかし、さまざまな組の隣接点が考えられる順番は重要でないため、指数の増分は示されていない。たとえば、毎回、新たな値を追加する際に生じる値の２つの新たな組を連続的に検討するのではなく、毎回、次の組および再び反復を終了することなどを検討しながら、反復の終わりまで小さい方の座標の新たな組のみを検討することも可能である。したがって、図２の点は、以下の順序ｘ１，ｘ２，ｘ３，ｘ４，ｘ６，ｘ７，ｘ５，ｘ８，ｘ９に決定されると推測される。
【００９４】
分布Ｗ（ｘ）の任意の拡散点１０における点光源の光度Ｉ（ｘ）は、拡散板３の中で反射を任意に含む一連の異なる軌道によって、検討中の拡散点１０に達するすべての光線に左右される。
【００９５】
抽出器８の拡散点１０に達する光線は、質的観点から以下のタイプの軌道、すなわち、
（ａ）光源Ｓから点Ｘにおいて抽出器８に直接当たる図４の光線ＳＸのような光線、
（ｂ）光源Ｓから点Ｘ０において放射面５に当たり、その後で、点Ｘにおいて抽出器８に当たる図５の光線ＳＸのような光線、
（ｃ）光源Ｓから反射基層９の点Ｘ０、すなわち非拡散点において抽出器８に当たり、その後で、点Ｘ１において放射面５に当たり、その後で、点Ｘにおいて抽出器８に当たる図６の光線ＳＸのような光線、
（ｄ）拡散点１０で抽出器８に当たる前に、光源Ｓから反射基層９の点において放射面５および抽出器８に複数回交互に当たる光線、
（ｅ）放射面５に当たり、その後で、直後または抽出器８の反射基層９および放射面５の点で１回以上連続反射した後で、拡散点１０で抽出器８に当たる図１の光線Ｒ３１，Ｒ３２のような臨界角θｍａｘより小さい角度で抽出器８の拡散点１０によって放射される光線
に分類されることが好ましい。
【００９６】
実際には、上記の分類は、拡散板３の中での反射回数に基づいている。
【００９７】
光度への拡散板３の壁の影響は、以下の係数を導入することによってモデル化されることができる。
−放射面５の吸収反射係数Ｒｉｆ５、たとえば、ＯＬＦフィルムの場合には≒０．９８、
−抽出器８の反射基層９の点の吸収反射係数Ｒｉｆ８、たとえば、ＯＬＦフィルムのマイクロプリズムがない側面の場合には≒０．９８、または鏡の場合には≒０．９５、
−抽出器８の拡散点１０の吸収拡散係数Ｄｉｆ８、たとえば、白いシルクスクリーン印刷された点の場合には≒０．８０・η、式中、ηは、拡散点から射出する光線の数を指し、たとえば、平面抽出器の場合には、所望の精度に応じて、π／１０、π／１００、π／１０００などが選択される。
【００９８】
抽出器８の任意の拡散点１０における点光源の光度Ｉ（ｘ）への寄与は、その上に入射される任意の光線のために、（ａ）タイプの光線から（ｅ）タイプの光線へと減少し、文字（ｄ）および（ｅ）によって要約されるさまざまなタイプの軌道内の光線の反射の数が増大するにつれて、減少することになる。
【００９９】
したがって、第１次近似において、（ａ）タイプの光線のみを検討することが可能である。したがって、図３および図４を参照すると、本発明による方法では、手順は以下の通りである。
【０１００】
図３のブロック３１に示されているように、拡散点１０の分布Ｗ（ｘ）の第１の点Ｘ１（図４の点Ａ）は、タイプ（ａ）の光線、すなわち図４における点Ｓとして示される光導波路ランプ１の光源２１から抽出器８に直接当たる光線の照明系２に最も近い抽出器８における入射点として設定される。上記の第１の点は、抽出器８の照明系２に近い端部、座標ｘ１＝０を有する点Ａに対応する。
【０１０１】
ブロック３３に示されているように、さらに、拡散点１０の分布Ｗ（ｘ）の第２の点Ｘ２は、タイプ（ａ）の光線の照明系２から最も遠い抽出器８における最後の入射点として設定される。上記の点は、照明系２に対向する抽出器８の端部、すなわち座標ｘ２＝ｌを有する点Ｂに対応する。
【０１０２】
Ｋによって光源２１の強度を示すと、タイプ（ａ）の光線のために座標ｘを有する一般的な点Ｘにおける光度は、以下の式によって与えられる。
【数２】
2004509442.tif 000004
ここでは、ピタゴラスの定理が、図４の三角形ＳＸＸ’に適用され、Ｘ’は光導波路ランプ１の長手軸における点Ｘの投影を表している。
【０１０３】
図３のブロック３５において、点Ａに配置される強度Ｉ（０）の点光源および点Ｂに配置される強度Ｉ（１）の点光源によって均一に照射される拡散板の点Ｘの座標ｘは、以下の式によって与えられる。
【数３】
2004509442.tif 000005
さらに一般的に、点分布Ｗ（ｘ）の点Ｘｉに配置される強度Ｉ（ｘｉ）の点光源および次の隣接点Ｘｉ＋１に配置される強度Ｉ（ｘｉ＋１）の点光源によって均一に照射される点Ｘの座標ｘは、以下の式によって与えられる。
【数４】
2004509442.tif 000006
上記の式の解は、以下のように表現されることができる。
【数５】
2004509442.tif 000007
または式（２）を適用することによって、
【数６】
2004509442.tif 000008
によって表現されることができる。上述の基準を備えた公式の再帰的適用は、所望の点分布Ｗ（ｘ）＝ｘ１，ｘ２，．．．，ｘｎ、を提供する。すなわち光導波路ランプ１の照明が定式化された簡略条件の制限内で均一である。
【０１０４】
近似を改良するために、本発明の方法は、図７のブロック図に示されているように、上述の方法で点の少なくとも１つの第２の分布Ｗ１（ｘ），Ｗ２（ｘ），．．．を決定し（ブロック４１）、異なるタイプの伝搬の場合には、上記で決定された（ブロック４０で想起されたように）点の分布Ｗ（ｘ）にすべての第２の分布Ｗ１（ｘ），Ｗ２（ｘ），．．．を追加すること（ブロック４２）を提案する。
【０１０５】
たとえば、図５を参照して、上記に示された分類によるタイプ（ｂ）の光線、すなわち光導波路ランプ１の光源２１（図５のＳ）から点Ｘ０において放射面５に当たり、その後、点Ｘにおいて抽出器８に当たる光線を考えることが可能である。
【０１０６】
この場合には、図３のブロック３１に示されるステップにおいて、分布Ｗ１（ｘ）の第１の点Ａは、以下の式、すなわち
【数７】
2004509442.tif 000009
によって与えられる座標ｘ１を有する。この式は、考慮される光線が照明系２に近い放射面５の端部の点Ａ０における角度θｍａｘに応じて反射されることの観察によって得られた。
【０１０７】
図３のブロック３３によって示されるステップにおいて計算される分布Ｗ１（ｘ）の第２の点Ｂは、分布Ｗ（ｘ）に関して座標ｘ２＝ｌを有する。
【０１０８】
座標ｘを有する点Ｘにおける光度は、以下の式によって与えられると見なされることができる。
【数８】
2004509442.tif 000010
Ｘ０’は、光導波路ランプ１の長手軸における点Ｘ０の投影である。実際には、Ｘ’によってランプ１の長手軸における点Ｘの投影を示し、Ｘ０”によって反射光線Ｘ０Ｘと上記の軸の交点を示し、三角形ＳＸ０Ｘ’、Ｘ０Ｘ０’Ｘ０”，Ｘ０”ＸＸ’が等しいことから、ＳＸ０’＝ＳＸ’／３となる。実際には、ＳＸ０の代わりに距離ＳＸ０’を用い、著しい誤差の入らない部分Ｘ０Ｘの長さを無視すればさらに実際的である。
【０１０９】
今度は、図３のブロック３５の再帰的計算において検討される２つの点光源によって等しく照射される点Ｘの座標ｘは、当然のことながら依然として式（３）（４）によって与えられる。
【０１１０】
近似をさらに改良するために、図６を参照して、上記に与えられた分類によるタイプ（ｃ）の光線、すなわち光導波路ランプ１の光源２１（図６のＳ）から点Ｘ０において抽出器８に当たり、点Ｘ１において放射面５に当たり、その後、点Ｘにおいて抽出器８に当たる光線を考えることが可能である
【０１１１】
この場合には、図３のブロック３１に示されるステップにおいて、分布Ｗ２（ｘ）の第１の点Ａは、以下の式、すなわち
【数９】
2004509442.tif 000011
によって与えられる座標ｘ１を有する。この式は、三角形Ａ０Ａ１Ａ１’，Ａ１Ａ１’Ａの観察から得られた。
【０１１２】
図３のブロック３３によって示されるステップにおいて計算される分布Ｗ１（ｘ）の第２の点Ｂは、分布Ｗ（ｘ）およびＷ１（ｘ）に関して座標ｘＢ＝ｌを有する。
【０１１３】
座標ｘを有する点Ｘにおける光度は、以下の式によって与えられると見なされることができる。
【数１０】
2004509442.tif 000012
この式は、光導波路ランプ１の長手軸が検討される光線と形成するさまざまな三角形の合同から得られた。
【０１１４】
今度は、図３のブロック３５の再帰的計算において検討される２つの点光源によって等しく照射される点Ｘの座標ｘは、この場合にも式（３）（４）によって与えられる。
【０１１５】
上記のことを一般化すると、上記で与えられた分類のタイプ（ｄ）の光線、すなわち、光源２１から拡散板３の中で反射を受けた後、言い換えれば放射面５および任意に抽出器８によって少なくとも１回の反射を受けた後、抽出器に当たる光線の場合には、各点光源の強度Ｉ（ｘ）は、光源の強度Ｋに抽出器の吸収拡散係数Ｄｉｆ８を乗じ、放射面５の各反射のために放射面の吸収反射係Ｒｉｆ５を乗じ、抽出器８の各反射のために抽出器の吸収反射係数Ｒｉｆ８を乗じ、光源Ｓから第１の反射点Ｘ０までの検討される光線の部分の主要伝搬方向に沿った投影距離の２乗によって除算することによって与えられることは容易に理解される。
【０１１６】
最後に、上記で与えられた分類のタイプ（ｅ）の光線についても考えたい場合には、拡散点１０における抽出器８への各入射に関して、点光源の強度Ｉ（ｘ）に抽出器の吸収拡散係数Ｄｉｆ８を乗じる必要がある。
【０１１７】
抽出器が挿入されることになっている光導波路ランプ１が、互いに鏡面である両方の照明系２，２ａを具備している場合には、本発明の方法の前述のステップのすべてにおいて、２つの光源２１，２１ａを考慮することが可能であると推測される。
【０１１８】
しかし、本発明の方法によれば、図８のブロック図に示されているように、２つの照明系２，２ａが設けられる（決定ブロック５１）場合には、上述したように決定される（ブロック５０によって要約されるような）点分布Ｗ（ｘ）に対して鏡面である第２の点分布Ｗ’＝（ｌ−ｘｎ，．．．，ｌ−ｘ２，ｌ−ｘ１）を決定し、点分布Ｗ＝（ｘ１，ｘ２，．．．，ｘｎ）に第２の点分布Ｗ’＝（ｌ−ｘｎ，．．．，ｌ−ｘ２，ｌ−ｘ１）を追加する（ブロック５３）ように形成されることが好ましい。
【０１１９】
光導波路ランプ１の対称性によって、第２の点分布Ｗ’は、単独の照明系２１ａを具備するランプ１において均一な照明を形成するようになっている。さらに、第２の点分布Ｗ’の点の前の照明系２１による照明は、第１の点分布Ｗの点の前の照明系２１ａによる照明に等しいことは容易に理解される。
【０１２０】
主要伝搬方向ｘに沿った点分布Ｗ（ｘ）を得た場合には、抽出器８の反射基層９における拡散点１０の二次元分布は、主要伝搬方向ｘに垂直である方向ｙに沿って一定の間隔Δｙで点分布Ｗ（ｘ）を単に反復することによって得られることができる。これは、図９のブロック図の左の経路に示されており、ブロック６０において点分布Ｗ（ｘ）を決定した後、座標ｙを増分するブロック６１および座標ｙの現在の値における点分布Ｗ（ｘ，ｙ）が点分布Ｗ（ｘ）に等しいように設定されるブロック６２を含むサイクルに入る。
【０１２１】
したがって、図１０に示されているように、抽出器８は拡散点１０のストライプの分布を呈し、照明は主要伝搬方向ｘに垂直である平面において十分に均一である。
【０１２２】
さらに、図１０では、抽出器８において拡散点１０の分布が、主要伝搬方向ｘに垂直である中間軸に対して対象であることを留意することができる。このような対称性を備えた抽出器は、２つの照明系２，２ａを有する光導波路ランプ１において用いるのに特に適している。
【０１２３】
さらに、例示の場合のように上述の方法を適用することによって、点分布が決定される場合には、点分布の隣接拡散点１０は抽出器８の各端部から主要伝搬方向ｘに垂直である中間軸Ａ−Ａまでの減少距離を有し、抽出器は主要伝搬方向ｘに沿った均一な照明を提供する。
【０１２４】
同様に、抽出器８が唯一の照明系２を有する光導波路ランプ１において用いられることになっている場合には、隣接拡散点１０は、第１の光入射端部、すなわち照明系２に結合されることになっている端部から対向する端部まで主要伝搬方向ｘに沿って減少距離にある。そのような抽出器は、図１０の点線によって画定される抽出器８’によって表される。
【０１２５】
別法として、方向ｙに沿った反復中に、主要伝搬方向ｘにおいて点分布Ｗ（ｘ）を前後に交互にずらしてもよい。この場合には、抽出器８の基層９上の拡散点１０は、図１１に示されているような菱形に配置される。これは、拡散点間の距離を抽出器の物理的な実現によって課せられた最小距離未満に減じる利点を呈する。
【０１２６】
これは、図９のブロック図の右の経路に示されており、ブロック６０において点分布Ｗ（ｘ）を決定した後に、座標ｙを増分するブロック６１および座標ｙの現在の値における点分布Ｗ（ｘ，ｙ）が点分布Ｗ（ｘ±Δｘ）に等しいように設定されるブロック６３を含むサイクルに入る。既に述べたことに関して、これは、連続反復において、＋符号および−符号が交互に用いられることを意味するものとして理解されなければならない。
【０１２７】
さらに、ずらす間隔Δｘは、分布Ｗ（ｘ）の反復の間隔Δｙに等しいことが好ましい。
【０１２８】
抽出器の物理的な実現の制限より高い精度で分布Ｗ（ｘ）を得ないようにするために、すなわち、条件
【数１１】
2004509442.tif 000013
を課すために、点分布Ｗ（ｘ）から、直に隣接する点から最小距離Ｄｍｉｎより大きい距離を呈する点を却下することが好ましい。同様に、上述したような二次元分布Ｗ（ｘ，ｙ）を決定する際に、以下の条件、
Δｙ　＜　Ｄｍｉｎ　（１１）
Δｘ　＜　Ｄｍｉｎ　（１２）
を課す。最小距離Ｄｍｉｎは、たとえばシルクスクリーン印刷によって得ることが可能な解像度に対応してもよい。
【０１２９】
条件式（１０）はまた、上記で与えられた式（３）および（４）に応じて、分布の隣接点における２つの点光源によって等しく照射される点の座標の計算時に課せられてもよいが、いずれの場合も、第２の分布の追加の任意ステップの後、すなわち図７のブロック４２の後および／または図８のブロック５３の後に、再びその妥当性を点検しなければならない。
【０１３０】
光抽出器８の拡散点１０の分布、具体的には光導波路ランプ１によって放射される光が可能な限り均一であるような分布を決定するための別の方法において、手順は以下の通りである。
【０１３１】
第一に、抽出器８の有効面が、主要伝搬方向ｘに沿って望ましいほど小さい間隔に分割され、各間隔に関して拡散点密度変数Ｄ１，Ｄ２，．．．，Ｄｎを規定する。
【０１３２】
同様に、放射面５は、主要伝搬方向ｘに沿って所望するほどの小さい間隔に分割され、各間隔に関して光度変数Ｎ１，Ｎ２，．．．，Ｎｍを規定する。
【０１３３】
次に、放射面５の各間隔の光度変数Ｎ１，Ｎ２，．．．，Ｎｍの値が、たとえば以下に示すような方法において、抽出器８の拡散点密度変数Ｄ１，Ｄ２，．．．，Ｄｎの関数として表される。
【０１３４】
最後に、放射面５の各間隔の光度変数Ｎ１，Ｎ２，．．．，Ｎｍの所望の値を提供するように、具体的には放射面５のすべての間隔の光度変数Ｎ１，Ｎ２，．．．，Ｎｍの値を互いに等しくするように、抽出器８の拡散点密度変数Ｄ１，Ｄ２，．．．，Ｄｎの値が計算される。
【０１３５】
さらに具体的に言えば、既に述べた第１の方法と同様に、光度変数Ｎ１，Ｎ２，．．．，Ｎｍの式を以下のように得ることができる。
【０１３６】
第一に各照明系２，２ａによって投影される光は、それぞれが個別の角度に応じて放射される有限数の光線に分割される。たとえば、検討される光線の数は、所望の精度に応じて、２π／１０、２π／１００、２π／１０００などを選択されることができる。
【０１３７】
各放射光線には初期光度値が与えられる。簡単のために、値はＬ＝１としてもよい。
【０１３８】
次に、各光線の経路に従い、放射面５の各間隔の光度変数Ｎ１，Ｎ２，．．．，Ｎｍが、光導波路ランプ１の外側に透過されるようにするために、主要伝搬方向に対してその臨界角θｍａｘより大きい角度でその中に入射される各光線の最終的な光度Ｌ’の値だけ増分される。
【０１３９】
各光線の光度値は、以下の基準に応じて変更される。
【０１４０】
抽出器８の間隔内の光線の各入射において、拡散点１０または反射点９のいずれに入射されるかに応じて、反射または拡散されることができる。考慮される間隔の拡散点密度Ｄｉは、光線が反射または拡散される確率を表すと見なされることもできる。
【０１４１】
したがって、光線が反射される場合には、反射光線の光度値は、入射光線の光度値に抽出器の吸収反射係数Ｒｉｆ８を乗じることによって得られるのに対し、光線が拡散される場合には、各拡散光線の光度値は、入射光線の光度値に抽出器の吸収拡散係数Ｄｉｆ８を乗じることによって得られる。
【０１４２】
主要伝搬方向に対してその臨界角θｍａｘより小さい角度で放射面５への各入射で、反射光線の光度値は、入射光線の光度値に放射面の吸収反射係数Ｒｉｆ５を乗じることによって得られる。
【０１４３】
光度変数Ｎ１，Ｎ２，．．．，Ｎｍの式を個別の所望の値に等しくすることによって、具体的には互いに対して等しくすることによって、等しい系が得られ、その未知の値が抽出器８の拡散点密度Ｄ１，Ｄ２，．．．，Ｄｎである。
【０１４４】
たとえば、数値計算方法によってそのような系を数学的に解くことができる。しかし、数学的解法は迅速ではないため、以下の再帰的方法を用いることができる。
【０１４５】
拡散点密度変数Ｄ１，Ｄ２，．．．，Ｄｎの値および光度変数Ｎ１，Ｎ２，．．．，Ｎｍの値は、初めにゼロに予め設定される。
【０１４６】
各反復で、上述のように表される放射面５の各間隔の光度変数Ｎ１，Ｎ２，．．．，Ｎｍの値は、抽出器８の拡散点密度変数Ｄ１，Ｄ２，．．．，Ｄｎの現在の値に基づいて、言い換えれば、抽出器８に入射する光線が反射されるかまたは拡散される現在の確率に基づいて評価される。
【０１４７】
各反復において、次に抽出器８の拡散点密度変数Ｄ１，Ｄ２，．．．，Ｄｎの値は、個別の十分に小さい量だけ個々に増分される。
【０１４８】
光度変数Ｎ１，Ｎ２，．．．，Ｎｍの値が望ましい値である場合、具体的に言えば放射面５のすべての間隔の光度変数Ｎ１，Ｎ２，．．．，Ｎｍの値が互いに等しい場合に、反復が終了する。
【０１４９】
たとえば、２つの照明系２，２ａを有する光導波路ランプ１において用いられることになっている抽出器８の場合には、抽出器８の中心から始まって、拡散点密度変数Ｄ１，Ｄ２，．．．，Ｄｎの値を増分することができる。
【０１５０】
上述の第１の方法と同様に、一旦得られると、主要伝搬方向に沿った拡散点の分布は、主要伝搬方向に垂直である方向ｙに沿って一定の間隔Δｙで反復されることができ、任意に予め設定された最小距離Δｘだけ主要伝搬方向において前後に点分布を交互にずらす。
【０１５１】
さらに、上述の第１の方法と同様に、直に隣接する点から予め設定された最小距離Ｄｍｉｎより大きい角度を呈する点を点分布から却下することが適していてもよい。
【０１５２】
図１２〜図１４は、本発明による光抽出器を具備する光導波路ランプの別の実施形態を概略的に示している。
【０１５３】
図１２に示されている光導波路ランプ１２１において、光抽出器１２８および放射面１２５はいずれも、拡散板１２３の長手軸に向かって凹面を有するように湾曲している。さらに具体的に言えば、それらのそれぞれの断面は半円、半楕円、半放物線、放物線であってもよく、または高次の曲線によってもよい。図示された実施形態における投影系１２２または２つの投影系１２２，１２２ａのそれぞれは、個別の点光源１２２１，１２２１ａを具備している。
【０１５４】
図１３に示されている光導波路ランプ１３１において、放射面１３５は平面であり、光抽出器１３８は拡散板１３３の長手軸に向かって湾曲される。さらに具体的に言えば半円、半楕円、半放物線、放物線の断面または高次曲線による。別法として、平面抽出器および拡散板１３３の長手軸に向かって湾曲する放射面、具体的に言えば半円、半楕円、半放物線、放物線の断面または高次曲線による放射面を設けることが可能である。また、この場合には、例示の実施形態において投影系１３２または２つの投影系１３２，１３２ａのそれぞれは、個別の点光源１３２１，１３２１ａを具備している。
【０１５５】
最後に、図１４に示される光導波路ランプ１４１において、光抽出器１４８と放射面１４５は共に湾曲される。さらに具体的に言えば半円、半楕円、半放物線、放物線の断面または高次曲線によるが、同一の方向に面する凹面を備えるように配置される。すなわち、光導波路ランプ１４１の断面が馬蹄型であるために、放射面１４５は、抽出器１４８の内部に配置されるか、またはその逆であるこの場合には、例示の実施形態において投影系１４２または２つの投影系１４２，１４２ａのそれぞれは、個別の点光源１４２１，１４２１ａを具備している。
【０１５６】
図１に示される平行六面体の構成を有するランプを参照して示された拡散点の分布を決定するための方法は、光導波路ランプの他に示した構成にも適用可能であり、当業者の能力内で任意の変更を行うことができることを留意する価値がある。
【０１５７】
さらに、上述した第１の方法は、電子コンピュータによって実行される場合に特に適している。
【０１５８】
図１５は、プログラムがコンピュータで実行される場合に、上述の方法のステップを実行するのに適したプログラムコード手段を含むコンピュータプログラムの特に好ましい実施形態を示しているブロック図を示している。
【０１５９】
方法のさまざまなステップに関連するコード手段の詳細については、任意のプログラマの能力内であると見なされるため、提供しない。実際には、サイクル、再帰的ルーチンの呼出しおよび数学的公式の適用の問題である。点分布Ｗ（ｘ）または各第２の分布Ｗｉ（ｘ），Ｗ’（ｘ）は、たとえば、一次元アレイまたはリストに格納されてもよい。すべての値の組を考慮しなければならない図３のブロック図の再帰呼出しの管理によって、たとえば、行列（指数）へのポインタまたは待ち行列（ＦＩＦＯ）またはスタック（ＬＩＦＯ）構造による管理を生じてもよい。
【０１６０】
ブロック７０で示されているように、コンピュータプログラムは、以下のパラメータ、すなわち
−放射面５の臨界角θｍａｘ、
−抽出器８の形状およびサイズ、たとえば、長方形、半円断面、半楕円断面、半放物線断面、放物線断面を含む代案のリストから選択可能である形状、
−放射面５の形状およびサイズ、たとえば、長方形、半円断面、半楕円断面、半放物線断面、放物線断面を含む代案のリストから選択可能である形状、
−放射面５から抽出器８の最大距離、
−照明系２の光源２１，２１ａの数、タイプ、強度Ｋおよび性質、
−点分布の点間の最小距離Ｄｍｉｎ、
−抽出器の吸収反射係数Ｒｉｆ８、
−抽出器の吸収拡散係数Ｄｉｆ８、
−放射面の吸収反射係数Ｒｉｆ５、
−放射面５および抽出器８上の考慮される連続反射の最大数、
のうちの１つ以上のパラメータを受信するための手段を一形態として具備する。
【０１６１】
これに関連して、個別の初期値を提供することができる。さらに、入力される値が許容可能である、具体的に言えば正の数であり、抽出器８および放射面５のサイズが互いに匹敵し、主要伝搬方向における長さｌと、抽出器と放射面との間の距離ｈとの比が２０に等しいことが好ましいように制御するための手段を設けてもよい。実際には、このように光が十分に少数の入射で伝搬するため、尊信つが小さいことから、そのような比が好ましい。
【０１６２】
入力される値は、ブロック７１に示されているようにファイルに保存され、ブロック７２に示されているようにファイルから処理を変更または反復するために検索されることができる。
【０１６３】
次に、ブロック７４において、プログラムは本発明の方法のさまざまなステップを実行するが、ブロック７４に示されるようなスタート信号を受信することを必要とすることが好ましい。たとえば、上記のスタート信号は、キーボードのキー、グラフィカルインターフェイスまたはその他のボタンを押すことであってもよい。
【０１６４】
続いて、ブロック７５で、プログラムは、
−たとえば、表計算ソフトにおける分布Ｗ（ｘ）の点の座標、
−基本的な間隔における分布の点のパーセント密度、
−たとえば、表計算ソフトなどの予め設定されたパラメータの記録、
−たとえば、点における段階的な増大を示す線形関数を有するグラフに関する点分布Ｗ（ｘ）またはＷ（ｘ，ｙ）を表すグラフィック表示、
−抽出器が抽出器８と放射面５との間の予め設定された平均距離ｈおよび放射面５の予め設定された臨界角θｍａｘの関数として意図される光導波路ランプの各照明系、具体的には反射放物線２２，２２ａの焦点δの幾何学的配置、
の中からブロック７５’によって表される１つ以上の出力を生成する。
【０１６５】
さらに、ブロック７６において、プログラムはエクスポート出力、すなわち
−印刷機、具体的にはシルクスクリーン印刷機によって読出し可能な形式の分布Ｗ（ｘ）の点のファイル７６’を生成することが好ましい。
【０１６６】
実際には、そのようなコンピュータプログラムは、情報ネットワーク、具体的に言えばインターネットで広められることができ、またはフロッピーディスク、ＣＤ−ＲＯＭ，ＣＤ−Ｒなどのコンピュータ読出し可能な手段において具現されることができる。
【０１６７】
以下の請求項によって定義されるように、本発明の範囲を逸脱することなく前述の実施形態に対して複数の変更、修正、置換および統合を行うことができることは明白である。
【０１６８】
具体的に言えば、光導波路ランプの軸方向の位置に用いられることになっている拡散点および相補反射点からなる特殊な「点在する」有効面は、三次元体抽出器においても有用である可能性があることを理解しなければならない。
【０１６９】
具体的に言えば、中性の基板上に所定および個別の相補分布に応じて、または、拡散基層上に反射点を塗布することによって、拡散点および反射点を施すことができることを留意する価値がある。したがって、本発明の詳細および添付請求項において、「反射基層の点」に関して、「反射点」なる表現と等価であるものと解釈されなければならない。
【０１７０】
さらに、点光源または反射放物線を備えた蛍光灯光源を有する照明系の代わりに、さまざまな実施形態において複数のＬＥＤによって得られる平面照明系を用いることができる。
【０１７１】
さらに、当業者は、反射面および放射面として、他の材料のうちで、上述の特許ＵＳ　５８８２７７４に示された多層光学フィルムを用いることが好都合であることを理解されたい。
【図面の簡単な説明】
【図１】一定の尺度から外れた第１の実施形態における本発明を具現する光導波路ランプを概略的に示している。
【図２】本発明による拡散点の分布を決定するための第１の方法を説明するために有用な図１のランプの平面図を示している。
【図３】図２に示された方法に関連するブロック図を示している。
【図４】上述の方法をさらに詳細に説明するのに有用な図２と類似の図である。
【図５】上述の方法をさらに詳細に説明するのに有用な図２と類似の図である。
【図６】上述の方法をさらに詳細に説明するのに有用な図２と類似の図である。
【図７】上述の方法に関連する別のブロック図である。
【図８】上述の方法に関連する別のブロック図である。
【図９】上述の方法に関連する別のブロック図である。
【図１０】本発明による抽出器の好ましい実施形態を概略的に示している。
【図１１】本発明による抽出器の好ましい実施形態を概略的に示している。
【図１２】本発明を具現する光導波路ランプの別の実施形態を概略的に示している。
【図１３】本発明を具現する光導波路ランプの別の実施形態を概略的に示している。
【図１４】本発明を具現する光導波路ランプの別の実施形態を概略的に示している。
【図１５】拡散点の分布を決定するための本発明の第１の方法を実行するのに適したコンピュータプログラムのブロック図を示している。
【図３】
2004509442.tif 000014
【図７】
2004509442.tif 000015
【図８】
2004509442.tif 000016
【図９】
2004509442.tif 000017
【図１５】
2004509442.tif 000018
【国際公開パンフレット】
2004509442.tif 000019
2004509442.tif 000020
2004509442.tif 000021
2004509442.tif 000022
2004509442.tif 000023
2004509442.tif 000024
2004509442.tif 000025
2004509442.tif 000026
2004509442.tif 000027
2004509442.tif 000028
2004509442.tif 000029
2004509442.tif 000030
2004509442.tif 000031
2004509442.tif 000032
2004509442.tif 000033
2004509442.tif 000034
2004509442.tif 000035
2004509442.tif 000036
2004509442.tif 000037
2004509442.tif 000038
2004509442.tif 000039
2004509442.tif 000040
2004509442.tif 000041
2004509442.tif 000042
2004509442.tif 000043
2004509442.tif 000044
2004509442.tif 000045
2004509442.tif 000046
2004509442.tif 000047
2004509442.tif 000048
2004509442.tif 000049
2004509442.tif 000050
2004509442.tif 000051
2004509442.tif 000052
2004509442.tif 000053
2004509442.tif 000054
2004509442.tif 000055
2004509442.tif 000056
2004509442.tif 000057
2004509442.tif 000058
2004509442.tif 000059
2004509442.tif 000060
2004509442.tif 000061
2004509442.tif 000062
2004509442.tif 000063
2004509442.tif 000064
2004509442.tif 000065
2004509442.tif 000066
2004509442.tif 000067
2004509442.tif 000068
2004509442.tif 000069
2004509442.tif 000070
2004509442.tif 000071
2004509442.tif 000072
2004509442.tif 000073
2004509442.tif 000074
2004509442.tif 000075
2004509442.tif 000076
【国際調査報告】
2004509442.tif 000077
2004509442.tif 000078
2004509442.tif 000079
2004509442.tif 000080